(57)【要約】【課題】高圧側シート部で縮流流れによる圧力低下が生じるのを防止し、三方弁の安定した作動を確保する。【解決手段】ピエゾスタック１を伸縮させて三方弁４を駆動し、低圧通路１２に至る低圧シート４５または高圧通路１１に至る高圧シート４６に選択的に着座させて、ノズルニードル５１に背圧を与える制御室５の圧力を増減するインジェクタにおいて、三方弁４を大径の弁部４１と摺動部４２とで構成し、圧力バランスさせるとともに、高圧シート４６とこれに対向する三方弁４の弁面４１ａとの重なり幅を例えば５０μｍ以下と小さくし、テーパ角度差を２°以上確保して、シート位置下流で流路を急拡大させ、流れを減速させて縮流流れがよる圧力低下を抑制する。【選択図】        図１
2004308478.tif 000002
【特許請求の範囲】
【請求項１】
ノズルニードルに閉弁方向の圧力を作用させる制御室と、該制御室と高圧通路および低圧通路との連通・遮断を切換える三方弁を備え、アクチュエータで上記三方弁を駆動して上記低圧通路に至る低圧シートから離座させ、上記高圧通路に至る高圧シートに着座させることにより上記制御室の圧力を開放し、上記ノズルニードルを開弁させるインジェクタであって、上記三方弁を上記高圧シートから離座させる方向に上記高圧通路の圧力を作用させる手段を有しており、かつ上記高圧シートとこれに対向する上記三方弁の弁面にて構成される高圧側シート部をシート位置下流で流路が急拡大する形状としたことを特徴とするインジェクタ。
【請求項２】
上記高圧シートとこれに対向する上記三方弁の弁面の径方向の重なり幅を５０μｍ以下とした請求項１記載のインジェクタ。
【請求項３】
上記高圧シートの傾斜角度とこれに対向する上記三方弁の弁面の傾斜角度の差を２°以上とした請求項１または２記載のインジェクタ。
【請求項４】
上記低圧シートがフラットな面であり、これに対向する上記三方弁の弁面を外周縁部から内方へ下り傾斜する面として、着座時に上記弁面の外周縁部が上記低圧シートに当接する構成とした請求項１ないし３のいずれか記載のインジェクタ。
【請求項５】
上記低圧シートに着座する上記三方弁の弁面の下り傾斜角度を１°〜５°の範囲とした請求項４記載のインジェクタ。
【請求項６】
上記三方弁が、上記低圧シートおよび上記高圧シートの間を移動する弁部と、ボディに摺動可能に配設された摺動部とを有し、上記低圧シート径と上記高圧シート径および上記摺動部径が略等しい請求項１ないし５のいずれか記載のインジェクタ。
【請求項７】
上記アクチュエータがピエゾアクチュエータである請求項１ないし６のいずれか記載のインジェクタ。
【発明の詳細な説明】
【０００１】
【発明の属する技術分野】
本発明は、例えば、ディーゼルエンジンのコモンレール式燃料噴射装置に使用されるインジェクタに関する。
【０００２】
【従来の技術】
ディーゼルエンジンにおいて、各気筒に共通のコモンレールに高圧燃料を蓄圧するコモンレール燃料噴射システムが知られている。コモンレール燃料噴射システム用のインジェクタは、例えば、噴孔を開閉するノズルニードルの背面に制御弁で圧力制御される制御室を設け、アクチュエータによって制御弁を駆動してノズルニードルを昇降するようになっている。この構成において、コモンレールからの燃料は、インジェクタの燃料通路に導入されて噴孔へ供給される一方で、ノズルニードルの後端面を室壁とする制御室に導入され、ノズルニードルに閉弁方向の圧力を作用させる制御油として使用される。
【０００３】
アクチュエータには、応答性の良好なピエゾアクチュエータを用いることができる（例えば、特許文献１等）。また、ピエゾアクチュエータは、変位が微小であることから、ピエゾアクチュエータの伸縮に伴い上下動する大径ピストンと、上記制御弁を駆動する小径ピストンを設けるとともに、これら大小ピストンの間に作動油を充填した変位拡大室を設けてなる変位拡大機構が提案されている。この変位拡大機構を用いると、ピエゾアクチュエータの伸長による変位が油圧に変換された後、大小ピストンの径差に応じて増幅されるので、上記制御弁を駆動するのに必要な変位量を効率よく得ることができる。
【０００４】
【特許文献１】
特開２００１−１４０７２７号公報
【０００５】
制御弁としては、三方弁構造の制御弁が好適に用いられる。特許文献１に記載される三方弁は、低圧通路に至る低圧シートまたはコモンレールに至る高圧シートにそれぞれ着座し得る弁体を備え、着座位置によって制御室と低圧通路または高圧通路との連通を切換えている。三方弁を用いると、燃料噴射中は制御室と低圧シートが連通し、高圧シートは閉鎖されるので、高圧シートからの燃料リークを制限することができる。。
【０００６】
【発明が解決しようとする課題】
上記構成のインジェクタにおいて、燃料を噴射するためには、ピエゾアクチュエータを駆動して三方弁を低圧シートから離座させて制御室の圧力を開放し、ノズルニードルを開弁する。また、噴射を終了するためにはアクチュエータの駆動を終了し、三方弁を高圧シートから離座させ、制御室圧を回復させる。しかしながら、この際、三方弁と高圧シートの間から高圧の燃料が非常に高速で流出するため、縮流流れとなってシート部周りの圧力が低下し、三方弁の作動を阻害するおそれがあった。
【０００７】
本発明は上記実情に鑑みなされたもので、噴射終了時の三方弁の高圧側シート部における縮流流れによる圧力低下を抑制し、三方弁の作動の安定性を向上させることにより、エネルギ−効率に優れ、高性能で、信頼性の高いインジェクタを提供することを目的とする。
【０００８】
【課題を解決するための手段】
本発明請求項１記載のインジェクタは、ノズルニードルに閉弁方向の圧力を作用させる制御室と、該制御室と高圧通路および低圧通路との連通・遮断を切換える三方弁を備える。アクチュエータで上記三方弁を駆動して上記低圧通路に至る低圧シートから離座させ、上記高圧通路に至る高圧シートに着座させると、上記制御室の圧力が開放され、上記ノズルニードルが開弁して燃料が噴射される。インジェクタは、上記三方弁を上記高圧シートから離座させる方向に上記高圧通路の圧力を作用させる手段を有しており、かつ上記高圧シートとこれに対向する上記三方弁の弁面からなる高圧側シート部は、シート位置下流で流路が急拡大する形状となっている。
【０００９】
従来構成では、噴射終了時に上記高圧側シート部から高圧の燃料が高速で噴出するために、シート部近傍の圧力が低下して上記三方弁の作動が不安定となることがあるが、本発明では、高圧側シート部を、シート位置下流で流路が急拡大する形状としたので、流れが直ちに減速し、縮流流れによる圧力低下を抑制することができる。よって、三方弁の安定した作動を確保し、エネルギー効率が良好で制御性に優れるインジェクタを実現する。
【００１０】
請求項２記載の発明では、上記高圧シートとこれに対向する上記三方弁の弁面の径方向の重なり幅を５０μｍ以下としている。
【００１１】
具体的には、シート重なり部の幅を５０μｍ以下と小さくすると、シート下流の流路が急拡大して流速が低下するので、縮流流れによる圧力低下を抑制する効果が得られる。
【００１２】
請求項３記載の発明では、上記高圧シートの傾斜角度とこれに対向する上記三方弁の弁面の傾斜角度の差を２°以上としている。
【００１３】
あるいは、高圧シートと三方弁の弁面との角度差を２°以上と大きくすることによっても、下流の流路を急拡大させて流速を低下させ、縮流流れによる圧力低下を抑制する同様の効果が得られる。
【００１４】
請求項４記載の発明では、上記低圧シートをフラットな面とし、対向する上記三方弁の弁面を外周縁部から内方へ下り傾斜する面として、着座時に上記弁面の外周縁部が上記低圧シートに当接する構成としている。
【００１５】
２箇所のシートの一方をフラットな面とすると軸ずれを許容できるが、シート位置が不安定となるため、これに当接する上記三方弁の弁面を傾斜面として逃がしを設けるとよい。これによりシート位置が安定し、シート径を正確に設定できるので、開弁力の設定が容易になる。
【００１６】
請求項５記載の発明では、上記低圧シートに着座する上記三方弁の弁面の下り傾斜角度を１°〜５°の範囲としている。
【００１７】
好ましくは、上記三方弁の弁面の下り傾斜角度を１°〜５°の範囲とするとよく、シート位置が安定にする効果が得られる。
【００１８】
請求項６記載の発明では、上記三方弁が、上記低圧シートおよび上記高圧シートの間を移動する弁部と、ボディに摺動可能に配設された摺動部とを有し、上記低圧シート径と上記高圧シート径および上記摺動部径を略等しい大きさとしてある。
【００１９】
上記三方弁に、上記低圧シートおよび上記高圧シートを開閉する弁部と、摺動部とを設け、各部の径をほぼ等しくすれば、上記三方弁に作用する油圧力をキャンセルして圧力バランスさせることができる。
【００２０】
請求項７記載の発明では、上記アクチュエータをピエゾアクチュエータとする。
【００２１】
ピエゾアクチュエータは応答性の良好で制御性に優れるので、本発明に適用することで、安定した動作とエネルギー効率を両立させることができる。
【００２２】
【発明の実施の形態】
以下、図面に基づいて本発明の第１の実施形態を説明する。図３は本発明のインジェクタＩの概略構成図、図１、２は要部拡大図である。本発明のインジェクタＩは、例えば、ディーゼルエンジンのコモンレール式燃料噴射システム用として用いられ、エンジンの各気筒に対応して設けられて共通のコモンレールから燃料の供給を受けるようになっている。コモンレールには高圧サプライポンプにより圧送される燃料が噴射圧力に相当する所定の高圧で蓄えられる。
【００２３】
図３において、インジェクタＩは、図略の燃焼室壁に取付けられるボディ１０を有し、ボディ１０内にはインジェクタ各部の構成部品が収納されるとともに、図略のコモンレールに連通する高圧通路１１、図略の燃料タンクに連通する低圧通路１２等の通路が形成される。
【００２４】
インジェクタＩは、ボディ１０の下端部内に形成した縦穴５３に、段付きのノズルニードル５１を摺動自在に保持している。ノズルニードル５１の下半小径部の外周には環状の油溜まり室１３が形成されており、油溜まり室１３には常時高圧通路１１を介してコモンレールからの高圧燃料が供給されている。縦穴５３の下方には、これに連なってサック部１５が形成され、サック部１５形成壁を貫通して燃料噴射用の噴孔１４が形成される。
【００２５】
ノズルニードル５１は下端位置にある時に、円錐形の先端部がサック部１５と縦穴５３の境界部に設けたシートに着座し、サック部１５を閉じて油溜まり室１３から噴孔１４への燃料供給を遮断する。ノズルニードル５１が上昇してシートから離座し、サック部１５を開くと燃料が噴射される。
【００２６】
ノズルニードル５１の上端面および縦穴５３の壁面により画成される空間は、ノズルニードル５１に背圧を与える制御室５としてある。制御室５には、バランス三方弁４およびメインオリフィス６１を介して、また、高圧通路１１からサブオリフィス６２を介して、制御油としての燃料が導入されており、ノズルニードル５１の背圧を発生している。この背圧はノズルニードル５１に下向きに作用して、制御室５内に収納されたスプリングニードル５２とともにノズルニードル５１を着座方向に付勢する。一方、油溜まり室１３の高圧燃料がノズルニードル５１の段差面に上向きに作用しノズルニードル５１を離座方向に付勢している。
【００２７】
ボディ１０の上半部内に形成した縦穴内には、上側から順にピエゾアクチュエータとしてのピエゾスタック１、大径のピエゾピストン２、小径のバルブピストン３が同軸的に配設されている。ピエゾスタック１はＰＺＴ等の圧電セラミック層と電極層とを交互に積層してコンデンサ構造とした一般的なもので、積層方向すなわち上下方向を伸縮方向としており、図示しない駆動回路により充放電されるようになっている。ピエゾスタック１には、ピエゾピストン２の上端部外周に設けられたスプリングピエゾ２１により一定の初期荷重が印加される。これにより、ピエゾピストン２はピエゾスタック１の伸縮に伴い、一体に上下動する。
【００２８】
ピエゾピストン２とバルブピストン３は、縦穴に設けたシリンダ内に摺動自在に保持されている。バルブピストン３は、小径の下端部が三方弁４の上端に当接しており、ピエゾピストン２とバルブピストン４の間には、燃料が充填されて変位拡大室２２を形成している。従って、ピエゾスタック１が伸長してピエゾピストン２を押圧すると、その押圧力が変位拡大室２２の燃料を介してバルブピストン３に伝えられ、バルブピストン３が下方に付勢されて三方弁４を押圧するようになっている。
【００２９】
ここで、バルブピストン３は、ピエゾピストン２よりも小径としてあるので、ピエゾスタック１の伸長量が拡大されてバルブピストン３の上下方向の変位に変換される。このように、大小２つのピストン２、３と変位拡大室２２とは、油圧式変位拡大機構として機能する。
【００３０】
バランス三方弁４（以下、三方弁４と称する）は、弁室４４の天井面に開口する低圧シート４５または底面に開口する高圧シート４６に選択的に着座して、メインオリフィス６１を介して弁室４４と常時連通する制御室５の圧力を増減する。低圧シート４５と高圧シート４６は弁室４４の天井面中央部と底面中央部の対向位置に設けられ、低圧シート４５はスピル通路３１を介して低圧通路１２と連通し、高圧シート４６は通路３２を介して高圧通路１１と連通している。
【００３１】
図１（ａ）に拡大して示すように、三方弁４は、大径の弁部４１と摺動部４２を有する圧力バランス型構造で、弁部４１となる上端部が弁室４４内に位置し、下端部の摺動部４２が高圧シート４６に続くシリンダ内を摺動するようになっている。弁部４１と摺動部４２は細径部４３にて連結され、細径部４３の外周に形成される環状空間に高圧通路１１へ至る通路３２が開口している。
【００３２】
三方弁４の弁部４１が低圧シート４５に着座する上端位置にある時には（図示の状態）、高圧シート４６が開放されて５制御室５と高圧通路１１が連通する。弁部４１が高圧シート４６に着座する下端位置にある時には、低圧シート４５が開放されて制御室５と低圧通路１２が連通する。このように三方弁４の作動状態が切り換わるのに伴い、弁室４４に連通する制御室５の圧力、すなわちノズルニードル５１の背圧が増減する。
【００３３】
三方弁４は、低圧シート４５、高圧シート４６、摺動部４２径をほぼ同一径とし、弁部４１に上向き（高圧シート４６から離座させる方向）に作用する油圧と摺動部４２に下向き（低圧シート４５から離座させる方向）に作用する油圧とをほぼバランスさせている。これにより、ピエゾスタック１を伸長させて三方弁４を下方変位させる際にピエゾスタック１に要求される駆動エネルギーを小さくできる。なお、低圧シート４５径、高圧シート４６径を共に摺動部４２径より僅かに大きくし、三方弁４に上向きの油圧力が作用する構成とすると、噴射停止時に三方弁４が意図しない動作により低圧シート４５を開弁することがなく、また、噴射終了時に三方弁４を高圧シート４６から速やかに離座させることができ、三方弁４のより安定した作動が可能になる。
【００３４】
本発明において、三方弁４の高圧側シート部（Ａ部）は、図１（ｂ）に拡大して示すように、シート位置の下流で流路が急拡大する形状としてある。具体的には、弁部４１の下側の弁面４１ａおよびこれに対向する高圧シート４６面をそれぞれ上方へ向けて拡径するテーパ面とし、これら弁面４１ａと高圧シート４６面の重なり幅がごく小さくなるように，また、テーパ角度の差が大きくなるように構成する。これにより、シート下流部の縮流流れによる圧力低下を抑制して三方弁４の作動を安定にする効果が得られる。
【００３５】
また、図２のように、三方弁４の低圧側シート部（Ｂ部）は、フラットな面からなる低圧シート４５に対向する弁部４１の上側の弁面４１ｂ外周部を、外周縁部から内方へ向けて僅かに下り傾斜する傾斜面として、逃がしを設けている。これにより、シート位置を安定させる効果が得られ、開弁力の設定が容易になる。三方弁４は、上側の弁面４１ｂ中央部を上方へ突出させるとともに、その端面を略球面状としてバルブピストン３に当接させている。これにより、軸のずれを吸収し、三方弁４に効率よく駆動力を伝達できる。
【００３６】
この三方弁４の低圧側シート部（Ａ部）および高圧側シート部（図１（ｂ）Ｂ部）の構造は本発明の特徴部分であり、詳細については後述する。
【００３７】
三方弁４の摺動部４２下方には、スプリングバルブ７を収容するスプリング室７１が設けてあり、三方弁４は、スプリングバルブ７によって上方に付勢されている。スプリング室７１は、密室となってダンパ力が生じないように、連通路７２を介してドレーン通路１２に通じている（図３参照）。このようにすると、三方弁４の下方への移動が抑制されることがなく、噴射開始時に弁部４１が低圧シート１５から速やかに離座する。
【００３８】
上記構成のインジェクタＩの作動を説明する。図３において、ピエゾスタック１が放電状態で縮小している状態から、ピエゾスタック１に充電すると、ピエゾスタック１が伸長してピエゾピストン２を押し下げ、変位拡大室２２の圧力を上昇させる。この油圧力によりバルブピストン３が下方に移動し、三方弁４を押し下げると、弁部４１が低圧シート４５から離座し、さらに下方変位して高圧シート４６に着座する。これにより、低圧通路１２に連通する低圧シート４５が開放され、制御室５内の燃料がメインオリフィス６１および弁室４４を介して流出するために、制御室５の圧力が降下する。そして、ノズルニードル５１の下向きの付勢力が上向きの付勢を下回ると、ノズルニードル５１が離座して燃料噴射が開始される。
【００３９】
一方、ピエゾスタック１を再び放電させると、ピエゾスタック１が収縮してピエゾピストン２が上方へ移動し、変位拡大室２２の圧力が降下して三方弁４の押し下げ力が解除される。これにより、高圧通路１１に連通する高圧シート４６が開放され、制御室５に弁室４４およびメインオリフィス６１を介して流入する高圧燃料と、サブオリフィス６２を介して流入する高圧燃料とにより、制御室５圧力が再び上昇する。そして、ノズルニードル５１の下向きの付勢力が上向きの付勢を上回ると、ノズルニードル５１が着座して噴射が終了する。
【００４０】
なお、サブオリフィス６２は、噴射開始時に制御室５の圧力降下を緩和し、噴射停止時には制御室５の圧力上昇を促進して、ノズルニードル５１を緩やかに開弁し、迅速に閉弁させる機能を有する。サブオリフィス６２を設けない構成とすることもできる。
【００４１】
次に、本発明の特徴部分について説明する。上述したように、圧力バランス型の三方弁４では、油圧により発生する力が常にキャンセルされるため、ピエゾスタック１の駆動エネルギーが小さくできる一方、僅かな力で三方弁４が開閉弁するために、シート部構造が三方弁４の作動に大きく影響する。図４（ａ）、（ｂ）は、従来のバランス三方弁４’構造を示す図で、弁部４１’の弁面４１ａ’と高圧シート４６’面の隙間から弁室４４へ向けて高圧の燃料が流出する際に、縮流流れとなりやすい。流体の持つエネルギーは、流体工学の見地から、図４（ｂ）の状態１（高圧シート４６’上流部）と状態２（高圧側シート部）において、下記式１が成立することがよく知られている。
【００４２】
【式１】
2004308478.tif 000003
例えば、状態１は容積が大きい場合、４０ｃｃ／ｓ程度の流量であれば、ｖ１  ≒０と考えてよい（図４の構成にも適合する）。この条件で、図４の構成においては、状態２ではｖ２  ＝２０４ｍ／ｓ程度の流速が生じるために、式１が成り立つためには、
Ｐ１  ＝１８０ＭＰａ
ρ＝８３０ｋｇ／ｃｍ３  
とすると、
Ｐ２  ＝１０．７ＭＰａ
となる。状態２より下流部では、再度、容積が拡大しているため、状態１と同様に圧力が高くなる。従って、状態２では、周囲より圧力が低くなるために、弁部４１’に下向きの力が作用し、三方弁４の挙動が安定しないおそれがある。
【００４３】
そこで、本発明では図１（ｂ）のように、高圧側シート部（Ａ部）において縮流流れが生じないように、弁部４１の下側の弁面４１ａと高圧シート４６面との重なり幅を小さくする。図５は、縮流部の長さ（重なり幅）と、縮流流れによる圧力降下に伴う発生力低下の関係を示すもので、図示するように、概ね、縮流部長さが５０μｍを超えると油圧による発生力が大きく低下することがわかっている。従って、好ましくは、重なり幅を５０μｍ以下とするのがよく、高圧側シート部を通過する燃料の流速を小さくして、縮流流れによる圧力降下を抑制することができる。
【００４４】
また、高圧側シート部を構成する弁面４１ａと高圧シート４６面のテーパ角度の差を大きくしても、燃料流れを減速させることができる。本発明者等の実験によれば、具体的には、図６において、三方弁４のテーパ角度と高圧シート４６のテーパ角度との差を、概ね２°以上確保すると縮流流れによる圧力降下を抑制する効果が得られることがわかった。
【００４５】
このように、縮流流れを回避するには、弁部４１の弁面４１ａと高圧シート４６面との重なり幅を小さくし、角度差を大きくするのがよい。例えば、重なりを小さくすると、高圧の燃料流れが速やかに弁室４４に流出して減速する。また、角度差を２倍にすると流路面積は約２倍になるため、流速は半減することになり、縮流による圧力低下は１／√２になる。これにより、油圧力の影響を小さくでき、特に三方弁４が低圧シート４５を閉鎖する燃料噴射停止時に安定した作動が可能になる。
【００４６】
さらに、図２のように、本発明では三方弁４の低圧側シート部（Ｂ部）を構成する弁部４１の上側の弁面４１ｂを傾斜させて、弁面４１ｂの外周端縁部がフラットな面からなる低圧シート４５面に当接するようにしている。このように、弁面４１ｂにわずかな逃がしを設けると、シート位置が安定しシート径を正確に設定できるので、開弁力の設定を厳密に行うことができ、誤開弁等を防止できる。この逃がしの角度は、シート部近傍で、例えば１〜５°程度とするのがよい。これにより、常に安定した三方弁４の動作が可能となる。
【００４７】
図７に本発明の第２の実施形態を示す。本実施形態では、三方弁４の高圧側シート部において、弁部４１が当接する高圧シート４６をテーパ面とせず、エッジを有する形状として、該エッジ部に弁部４１の弁面４１ａがシートする構成としている。その他の基本構成および作動は上記第１の実施形態と同様である。本実施形態のシート部構成によれば、シート位置下流で流路が急拡大する同様の効果が得られ、加工が容易で、シート位置が容易に設定可能である。
【００４８】
図８に本発明の第３の実施形態を示す。本実施形態では、三方弁４の高圧側シート部において、弁部４１の弁面４１ａを、略球面状としてある。その他の基本構成および作動は上記第１の実施形態と同様である。本実施形態のシート部構成によれば、シート位置下流で流路が急拡大する同様の効果が得られ、また、弁面４１ａが略球面であるため、三方弁４が傾いた場合でもシートが可能である。
【００４９】
以上のように、本発明によれば、バランス三方弁を用いたインジェクタにおいて、シート部構成を最適化することにより、三方弁の作動を安定にし、アクチュエータの特性を有効に活用して、効率よい燃料噴射を実現することができる。
【図面の簡単な説明】
【図１】本発明のインジェクタの第１の実施形態を示し、（ａ）はバランス三方弁構成を示す拡大断面図、（ｂ）は（ａ）のＡ部拡大断面図である。
【図２】第１の実施形態におけるバランス三方弁近傍の構成を示す要部拡大断面図である。
【図３】本発明のインジェクタの概略構成を示す全体断面図である。
【図４】（ａ）は従来のインジェクタにおけるバランス三方弁構成を示す拡大断面図、（ｂ）は（ａ）のＡ部拡大断面図である。
【図５】縮流部長さと発生力の関係を示す図である。
【図６】第１の実施形態におけるバランス三方弁の低圧側シート部の構成を示す要部拡大断面図である。
【図７】本発明の第２の実施形態におけるインジェクタの全体概略断面図である。
【図８】本発明の第３の実施形態におけるインジェクタの全体概略断面図である。
【符号の説明】
Ｉ  インジェクタ
１  ピエゾスタック（アクチュエータ）
１０  ボディ
１１  高圧通路
１２  低圧通路
２  ピエゾピストン
２１  スプリングピエゾ
２２  変位拡大室
３  バルブピストン
３１  スピル通路
３２  通路
４  バランス三方弁（三方弁）
４１  弁部
４２  摺動部
４３  細径部
４４  弁室
４５  低圧シート
４６  高圧シート
５  制御室
５１  ノズルニードル
５２  スプリングニードル
６１  メインオリフィス
６２  サブオリフィス
【図１】
2004308478.tif 000004
【図２】
2004308478.tif 000005
【図３】
2004308478.tif 000006
【図４】
2004308478.tif 000007
【図５】
2004308478.tif 000008
【図６】
2004308478.tif 000009
【図７】
2004308478.tif 000010
【図８】
2004308478.tif 000011